(57)【特許請求の範囲】
【請求項１】
第１情報処理端末と第２情報処理端末とを含む情報処理システムであって、
前記第１情報処理端末は、
通話のための音声を入力して音声データを生成する第１マイクと、
前記第２情報処理端末を通話相手先端末として特定して、前記第１マイクから取得した通話のための音声データをＲＴＰ（Real-time Transport Protocol）パケットとして送信する第１送信手段と、
前記第２情報処理端末から通話のためのＲＴＰパケットを受信する第１受信手段と、
を備え、
前記第２情報処理端末は、
撮像を行ないライブビュー用低解像度画像データ及び静止画用高解像度画像データを生成するカメラと、
通話のための音声を入力して音声データを生成する第２マイクと、
前記第１情報処理端末との通話中に、前記第２マイクから取得した通話のためのＲＴＰパケットを前記第１情報処理端末に送信する第２送信手段と、
前記第１情報処理端末から通話のためのＲＴＰパケットを受信する第２受信手段と、
を備え、
前記第１送信手段は、前記第２情報処理端末との通話中に、前記第２情報処理端末に内蔵されている前記カメラをズーム操作するためのズーム操作コマンドをＲＴＰパケットとして通話のための音声データと共に前記第２情報処理端末に送信し、
前記第２受信手段は、前記ズーム操作コマンドを含むＲＴＰパケットを前記第１情報処理端末から受信して、前記カメラのズーム機能を駆動し、
前記第２送信手段は、前記第１情報処理端末との通話中に、前記カメラで撮像して取得した前記ライブビュー用低解像度画像データを、前記第２マイクから取得した前記通話のための音声データと共にＲＴＰパケットとして前記第１情報処理端末に送信し、さらに、前記第２受信手段が前記カメラのシャッターコマンドを含むＲＴＰパケットを受信した場合には、前記静止画用高解像度画像データをＲＴＰパケットとして前記第１情報処理端末に送信する情報処理システム。
【請求項２】
前記第１情報処理端末は、
通話相手を表わす情報と、
前記カメラを操作するための操作用アイコンと、
前記第２送信手段から受信した前記ＲＴＰパケットに含まれる前記ライブビュー用低解像度画像データと、
を表示する表示手段をさらに備えた請求項１に記載の情報処理システム。
【請求項３】
前記第２送信手段は、前記音声データと共に前記カメラで撮像した前記ライブビュー用低解像度画像データをＲＴＰパケットとして送信し、
前記第１受信手段は、前記ライブビュー用低解像度画像データを含むＲＴＰパケットを受信し、
前記表示手段は、受信した前記ＲＴＰパケットに含まれる前記ライブビュー用低解像度画像データを表示することにより、テレビ電話による通話を実現する請求項２に記載の情報処理システム。
【請求項４】
前記操作用アイコンが操作されることにより、
前記第１送信手段は、前記カメラのズーム倍率を操作するための前記操作コマンドを含むＲＴＰパケットを送信する請求項２または３に記載の情報処理システム。
【請求項５】
前記表示手段は、前記第２送信手段から受信した前記ＲＴＰパケットに含まれる前記ライブビュー用低解像度画像データを前記第２情報処理端末との通話中に表示する請求項２、３または４に記載の情報処理システム。
【請求項６】
通話のための音声を入力して音声データを生成する第１マイクと、
情報処理端末を通話相手先端末として特定して、前記第１マイクから取得した通話のための音声データをＲＴＰパケットとして送信する第１送信手段と、
前記情報処理端末から通話のためのＲＴＰパケットを受信する第１受信手段と、
を備えた他の情報処理端末との間で通信可能であり、
撮像を行ないライブビュー用低解像度画像データ及び静止画用高解像度画像データを生成するカメラと、
音声を入力して音声データを生成する第２マイクと、
前記他の情報処理端末との通話中に、前記第２マイクから取得した前記通話のためのＲＴＰパケットを前記他の情報処理端末に送信する第２送信手段と、
前記他の情報処理端末から通話のためのＲＴＰパケットを受信する第２受信手段と、
を備えた情報処理端末であって、
前記第２受信手段は、前記カメラをズーム操作するための操作コマンドをＲＴＰパケットとして前記他の情報処理端末から前記音声データと共に受信して、前記カメラの操作を行ない、
前記第２送信手段は、前記他の情報処理端末との通話中に、前記カメラで撮像して取得した前記ライブビュー用低解像度画像データを、前記第２マイクから取得した前記通話のための音声データと共にＲＴＰパケットとして前記他の情報処理端末に送信し、さらに、前記第２受信手段が前記カメラのシャッターコマンドを含むＲＴＰパケットを受信した場合には、前記静止画用高解像度画像データを前記他の情報処理端末に送信する情報処理端末。
【請求項７】
音声を入力して音声データを生成する第１マイクと、
情報処理端末を通話相手先端末として特定して、前記第１マイクから取得した通話のための音声データをＲＴＰパケットとして送信する第１送信手段と、
前記情報処理端末から通話のためのＲＴＰパケットを受信する第１受信手段と、
を備えた他の情報処理端末との間で通信可能であり、
撮像を行ないライブビュー用低解像度画像データ及び静止画用高解像度画像データを生成するカメラと、
通話のための音声を入力して音声データを生成する第２マイクと、
前記他の情報処理端末との通話中に、前記第２マイクから取得した通話のためのＲＴＰパケットを前記他の情報処理端末に送信する第２送信手段と、
前記他の情報処理端末から通話のためのＲＴＰパケットを受信する第２受信手段と、
を備えた情報処理端末の制御方法であって、
前記カメラをズーム操作するための操作コマンドと、通話のための前記音声データとを含むＲＴＰパケットを前記他の情報処理端末から受信して、前記カメラの操作を行なう遠隔操作ステップと、
前記他の情報処理端末との通話中に、前記カメラで撮像して取得した前記ライブビュー用低解像度画像データを、前記第２マイクから取得した前記通話のための音声データと共にＲＴＰパケットとして前記他の情報処理端末に送信し、さらに、前記カメラのシャッターコマンドを含むＲＴＰパケットを受信した場合には、前記静止画用高解像度画像データをＲＴＰパケットとして前記他の情報処理端末に送信する送信ステップと、
を含む情報処理端末の制御方法。
【請求項８】
音声を入力して音声データを生成する第１マイクと、
情報処理端末を通話相手先端末として特定して、前記第１マイクから取得した通話のための音声データをＲＴＰパケットとして送信する第１送信手段と、
前記情報処理端末から通話のためのＲＴＰパケットを受信する第１受信手段と、
を備えた他の情報処理端末との間で通信可能であり、
撮像を行ないライブビュー用低解像度画像データ及び静止画用高解像度画像データを生成するカメラと、
通話のための音声を入力して音声データを生成する第２マイクと、
前記他の情報処理端末との通話中に、前記第２マイクから取得した通話のためのＲＴＰパケットを前記他の情報処理端末に送信する第２送信手段と、
前記他の情報処理端末から通話のためのＲＴＰパケットを受信する第２受信手段と、
を備えた情報処理端末の制御プログラムであって、
前記カメラをズーム操作するための操作コマンドと、通話のための前記音声データとを含むＲＴＰパケットを前記他の情報処理端末から受信して、前記カメラの操作を行なう遠隔操作ステップと、
前記他の情報処理端末との通話中に、前記カメラで撮像して取得した前記ライブビュー用低解像度画像データを、前記第２マイクから取得した前記通話のための音声データと共にＲＴＰパケットとして前記他の情報処理端末に送信し、さらに、前記カメラのシャッターコマンドを含むＲＴＰパケットを受信した場合には、前記静止画用高解像度画像データをＲＴＰパケットとして前記他の情報処理端末に送信する送信ステップと、
を情報処理端末に実行させる制御プログラム。
【発明の詳細な説明】
【技術分野】
【０００１】
本発明は、情報処理システム、情報処理端末、その制御方法および制御プログラムに関する。
【背景技術】
【０００２】
上記技術分野において、特許文献１には、テレビ電話中に静止画を取得する技術が開示されている。
【先行技術文献】
【特許文献】
【０００３】
【特許文献１】特開平０７−３１２７４６号公報
【発明の概要】
【発明が解決しようとする課題】
【０００４】
しかしながら、上記文献に記載の技術では、通話相手から送られてきた静止画を受け取るのみであり、能動的に所望の画像を撮像することができなかった。
【０００５】
本発明の目的は、上述の課題を解決する技術を提供することにある。
【課題を解決するための手段】
【０００６】
上記目的を達成するため、本発明に係るシステムは、
第１情報処理端末と第２情報処理端末とを含む情報処理システムであって、
前記第１情報処理端末は、
通話のための音声を入力して音声データを生成する第１マイクと、
前記第２情報処理端末を通話相手先端末として特定して、前記第１マイクから取得した通話のための音声データをＲＴＰ（Real-time Transport Protocol）パケットとして送信する第１送信手段と、
前記第２情報処理端末から通話のためのＲＴＰパケットを受信する第１受信手段と、
を備え、
前記第２情報処理端末は、
撮像を行ないライブビュー用低解像度画像データ及び静止画用高解像度画像データを生成するカメラと、
通話のための音声を入力して音声データを生成する第２マイクと、
前記第１情報処理端末との通話中に、前記第２マイクから取得した通話のためのＲＴＰパケットを前記第１情報処理端末に送信する第２送信手段と、
前記第１情報処理端末から通話のためのＲＴＰパケットを受信する第２受信手段と、
を備え、
前記第１送信手段は、前記第２情報処理端末との通話中に、前記第２情報処理端末に内蔵されている前記カメラをズーム操作するためのズーム操作コマンドをＲＴＰパケットとして通話のための音声データと共に前記第２情報処理端末に送信し、
前記第２受信手段は、前記ズーム操作コマンドを含むＲＴＰパケットを前記第１情報処理端末から受信して、前記カメラのズーム機能を駆動し、
前記第２送信手段は、前記第１情報処理端末との通話中に、前記カメラで撮像して取得した前記ライブビュー用低解像度画像データを、前記第２マイクから取得した前記通話のための音声データと共にＲＴＰパケットとして前記第１情報処理端末に送信し、さらに、前記第２受信手段が前記カメラのシャッターコマンドを含むＲＴＰパケットを受信した場合には、前記静止画用高解像度画像データをＲＴＰパケットとして前記第１情報処理端末に送信する。
【０００７】
上記目的を達成するため、本発明に係る端末は、
通話のための音声を入力して音声データを生成する第１マイクと、
情報処理端末を通話相手先端末として特定して、前記第１マイクから取得した通話のための音声データをＲＴＰパケットとして送信する第１送信手段と、
前記情報処理端末から通話のためのＲＴＰパケットを受信する第１受信手段と、
を備えた他の情報処理端末との間で通信可能であり、
撮像を行ないライブビュー用低解像度画像データ及び静止画用高解像度画像データを生成するカメラと、
音声を入力して音声データを生成する第２マイクと、
前記他の情報処理端末との通話中に、前記第２マイクから取得した前記通話のためのＲＴＰパケットを前記他の情報処理端末に送信する第２送信手段と、
前記他の情報処理端末から通話のためのＲＴＰパケットを受信する第２受信手段と、
を備えた情報処理端末であって、
前記第２受信手段は、前記カメラをズーム操作するための操作コマンドをＲＴＰパケットとして前記他の情報処理端末から前記音声データと共に受信して、前記カメラの操作を行ない、
前記第２送信手段は、前記他の情報処理端末との通話中に、前記カメラで撮像して取得した前記ライブビュー用低解像度画像データを、前記第２マイクから取得した前記通話のための音声データと共にＲＴＰパケットとして前記他の情報処理端末に送信し、さらに、前記第２受信手段が前記カメラのシャッターコマンドを含むＲＴＰパケットを受信した場合には、前記静止画用高解像度画像データを前記他の情報処理端末に送信する。
【０００８】
上記目的を達成するため、本発明に係る方法は、
音声を入力して音声データを生成する第１マイクと、
情報処理端末を通話相手先端末として特定して、前記第１マイクから取得した通話のための音声データをＲＴＰパケットとして送信する第１送信手段と、
前記情報処理端末から通話のためのＲＴＰパケットを受信する第１受信手段と、
を備えた他の情報処理端末との間で通信可能であり、
撮像を行ないライブビュー用低解像度画像データ及び静止画用高解像度画像データを生成するカメラと、
通話のための音声を入力して音声データを生成する第２マイクと、
前記他の情報処理端末との通話中に、前記第２マイクから取得した通話のためのＲＴＰパケットを前記他の情報処理端末に送信する第２送信手段と、
前記他の情報処理端末から通話のためのＲＴＰパケットを受信する第２受信手段と、
を備えた情報処理端末の制御方法であって、
前記カメラをズーム操作するための操作コマンドと、通話のための前記音声データとを含むＲＴＰパケットを前記他の情報処理端末から受信して、前記カメラの操作を行なう遠隔操作ステップと、
前記他の情報処理端末との通話中に、前記カメラで撮像して取得した前記ライブビュー用低解像度画像データを、前記第２マイクから取得した前記通話のための音声データと共にＲＴＰパケットとして前記他の情報処理端末に送信し、さらに、前記カメラのシャッターコマンドを含むＲＴＰパケットを受信した場合には、前記静止画用高解像度画像データをＲＴＰパケットとして前記他の情報処理端末に送信する送信ステップと、
を含む。
【０００９】
上記目的を達成するため、本発明に係るプログラムは、
音声を入力して音声データを生成する第１マイクと、
情報処理端末を通話相手先端末として特定して、前記第１マイクから取得した通話のための音声データをＲＴＰパケットとして送信する第１送信手段と、
前記情報処理端末から通話のためのＲＴＰパケットを受信する第１受信手段と、
を備えた他の情報処理端末との間で通信可能であり、
撮像を行ないライブビュー用低解像度画像データ及び静止画用高解像度画像データを生成するカメラと、
通話のための音声を入力して音声データを生成する第２マイクと、
前記他の情報処理端末との通話中に、前記第２マイクから取得した通話のためのＲＴＰパケットを前記他の情報処理端末に送信する第２送信手段と、
前記他の情報処理端末から通話のためのＲＴＰパケットを受信する第２受信手段と、
を備えた情報処理端末の制御プログラムであって、
前記カメラをズーム操作するための操作コマンドと、通話のための前記音声データとを含むＲＴＰパケットを前記他の情報処理端末から受信して、前記カメラの操作を行なう遠隔操作ステップと、
前記他の情報処理端末との通話中に、前記カメラで撮像して取得した前記ライブビュー用低解像度画像データを、前記第２マイクから取得した前記通話のための音声データと共にＲＴＰパケットとして前記他の情報処理端末に送信し、さらに、前記カメラのシャッターコマンドを含むＲＴＰパケットを受信した場合には、前記静止画用高解像度画像データをＲＴＰパケットとして前記他の情報処理端末に送信する送信ステップと、
を情報処理端末に実行させる。
【発明の効果】
【００１３】
本発明によれば、通話中に能動的に通話相手の装置を用いて撮像された所望の画像を取得できる。
【図面の簡単な説明】
【００１４】
【図１】本発明の第１実施形態に係る情報処理システムの構成を示すブロック図である。
【図２】本発明の第２実施形態に係る情報処理システムの構成を示すブロック図である。
【図３】本発明の第２実施形態に係る情報処理システムの表示画像構成を示す図である。
【図４】本発明の第２実施形態に係る情報処理システムの信号のやりとりの一例を示す図である。
【図５】本発明の第２実施形態に係る情報処理端末での処理の流れを示すフローチャートである。
【図６】本発明の第２実施形態に係る情報処理端末での処理の流れを示すフローチャートである。
【発明を実施するための形態】
【００１５】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１６】
［第１実施形態］
本発明の第１実施形態としての情報処理システム１００について、図１を用いて説明する。情報処理システム１００は、２つの情報処理端末１０１、１０２を含むシステムである。
【００１７】
図１に示すように、情報処理端末１０１は、マイク１１１と送信部１１２と受信部１１３とを備え、情報処理端末１０２は、マイク１２１と送信部１２２と受信部１２３とカメラ１２４とを含む。
【００１８】
マイク１１１、１２１は、音声を入力して音声データを生成する。送信部１１２は、情報処理端末１０２を通話相手先端末として特定して、マイク１１１から取得した音声データを送信する。受信部１１３は、情報処理端末１０２から音声データを受信する。
【００１９】
送信部１２２は、情報処理端末１０１との通話中に、マイク１２１から取得した音声データを情報処理端末１０１に送信する。受信部１２３は、情報処理端末１０１から音声データを受信する。カメラ１２４は、撮像を行ない画像データを生成する。
【００２０】
送信部１１２は、情報処理端末１０２との通話中に、情報処理端末１０２に内蔵されているカメラ１２４を操作するための操作コマンドを音声データと共に情報処理端末１０２に送信する。
【００２１】
受信部１２３は、操作コマンドを情報処理端末１０１から受信して、カメラ１２４の操作を行なう。送信部１２２は、情報処理端末１０１との通話中に、カメラ１２４で撮像して取得した画像データを、マイク１２１から取得した音声データと共に情報処理端末１０１に送信する。
【００２２】
以上の構成によれば、非常に簡単に通話中に相手端末で撮像を行なうことができる。
【００２３】
［第２実施形態］
次に本発明の第２実施形態に係る情報処理システムについて、図２を用いて説明する。図２は、本実施形態に係る情報処理システム２００の機能構成を説明するための図である。
【００２４】
情報処理端末２０１、２０２は、同じ構成であり、マイク２１１、２２１、送信部２１２、２２２、受信部２１３、２２３の他、カメラ２１４、２２４およびタッチパネル２１５、２２５を備えている。さらに、情報処理端末２０１、２０２は、ストレージ２１６、２２６と、プロセッサ２１７、２２７を備えている。
【００２５】
プロセッサ２１７、２２７は、ストレージ２１６、２２６に格納された各種プログラムを実行して各種機能（例えばここではテレビ電話機能）を実現する。
【００２６】
マイク２１１、２２１は、音声を入力して音声データを生成する。送信部２１２は、情報処理端末２０２を通話相手先端末として特定して、マイク２１１から取得した音声データを送信する。受信部２１３は、送信部２１２から送信された音声データをネットワークを介して受信する。
【００２７】
送信部２２２は、情報処理端末２０１との通話中に、マイク２２１から取得した音声データを情報処理端末２０１に送信する。受信部２２３は、情報処理端末２０１から音声データを受信する。カメラ２２４は、撮像を行ない画像データを生成する。
【００２８】
送信部２１２は、情報処理端末２０２との通話中に、情報処理端末２０２に内蔵されているカメラ２２４を操作するための操作コマンドを音声データと共に情報処理端末２０２に送信する。
【００２９】
受信部２２３は、操作コマンドを情報処理端末２０１から受信して、カメラ２２４の操作を行なう。送信部２２２は、情報処理端末２０１との通話中に、カメラ２２４で撮像して取得した画像データを、マイク２２１から取得した音声データと共に情報処理端末２０１に送信する。
【００３０】
これらの情報処理端末２０１、２０２は、テレビ電話で相手の顔を見ながら通話することが可能である。通話中にタッチパネル２１５、２２５に表示された操作用アイコンとしての遠隔操作ボタン２５１、２６１をタップすることにより、相手方端末のカメラを遠隔操作するためのリモートカメラモードに移行する。
【００３１】
図３は、ＴＶ通話中にリモートカメラモードに移行した画面を説明するための図面である。情報処理端末２０１において、遠隔操作ボタン２５１がタップされると、図３の左側に示すような画面が表示される。
【００３２】
タッチパネル２１５には、通話中、通話相手先名３１１、ピクチャインピクチャ画像、マイク制御ボタン３１３、通話切断ボタン３１４が表示されている。ピクチャインピクチャ領域３１２は、自機である情報処理端末２０１で撮像された画像を表示する。ここでは、カメラ２１４によって撮像された情報処理端末２０１のユーザの顔が表示されている。
【００３３】
遠隔操作ボタン２５１がタップされると、これらのボタンや画像に加えて、カメラ遠隔制御用のボタン群が表示される。ここでは、カメラ遠隔制御用のボタン群として、シャッターボタン３１５、ズームインボタン３１６、ズームアウトボタン３１７、ズーム倍率３１８、カメラ切り換えボタン３１９、画像ダウンロードボタン３２０、その他カメラ制御ボタン３２１が表示される。
【００３４】
これらのうち、カメラ切り換えボタン３１９をタップすると、情報処理端末２０２の駆動カメラが、不図示の背面カメラに切り替わり、ユーザ３６０から見て、情報処理端末２０２の背景３５０がライブビュー撮像される。
【００３５】
撮像された背景３５０の低解像度画像は、ＲＴＰ（Real-time Transport Protocol）によって情報処理端末２０１に送られ、タッチパネル２１５に大きく表示される。この状態で、ズームインボタン３１６またはズームアウトボタン３１７がタップされると、情報処理端末２０２は、カメラ２２４のズーム機能を駆動して、情報処理端末２０１のユーザが希望する倍率で撮像を行なう。その倍率は、ズーム倍率３１８として表示される。この状態でも情報処理端末２０１のユーザと情報処理端末２０２のユーザ３６０とは通話中であるため、情報処理端末２０１のユーザは、情報処理端末２０２のユーザ３６０に対して、情報処理端末２０２のカメラをどの方向に向けて欲しいか伝えることができる。
【００３６】
情報処理端末２０１のユーザが高解像度画像データを所望する画像がライブビューとしてタッチパネル２１５に表示された状態になると、情報処理端末２０１のユーザは、シャッターボタン３１５をタップすればよい。シャッターボタン３１５がタップされると、情報処理端末２０２において、背景３５０の画像が高解像度で撮像され、情報処理端末２０２内のストレージ２２６に保存される。ストレージ２２６に保存された高解像度静止画像データは、ユーザによる画像ダウンロードボタン３２０のタップにより、情報処理端末２０２から情報処理端末２０１に送られストレージ２１６に保存される。このとき、情報処理端末２０２は、テレビ電話に用いられるＲＴＰパケットを利用して情報処理端末２０１に送信するが、その他の方法で、送信してもよい。
【００３７】
その他カメラ制御ボタン３２１が操作されると、カメラ２２４による撮像の細かい調整を行なうことができる。例えば、色調、明るさ、ホワイトバランスなど、様々な撮像設定を調整できる。
【００３８】
情報処理端末２０１および情報処理端末２０２のストレージ２１６、２２６には、ＧＵＩ（Graphical User Interface）表示モジュールおよびカメラ遠隔操作モジュールを含むテレビ電話アプリケーションプログラムがインストールされ、プロセッサ２１７、２２７により実行される。これにより、上述のような表示および機能が実現される。
【００３９】
図４は、２台の情報処理端末２０１、２０２の間の信号のやりとりの流れを示すシーケンス図である。
【００４０】
まず、ステップＳ４０１において、発信者端末としての情報処理端末２０１が、情報処理端末２０２に対して「招待」を送信する。次に、ステップＳ４０２において、着信側端末としての情報処理端末２０２が情報応答「100−試行中」を情報処理端末２０１に返す。
【００４１】
情報処理端末２０２が呼び出し処理を行ない、呼び出し音が鳴り始めたら、情報処理端末２０１に対して「180−呼び出し中」を返す（Ｓ４０４）。情報処理端末２０２は、ユーザから電話に出る操作（アイコンのタップまたはスライド）を受け付けると、ステップＳ４０４において、情報処理端末２０１に「200−OK」を返す。次にステップＳ４０５に進み、情報処理端末２０１が情報処理端末２０２に対して「ACK−受信確認」を返す。これにより、セッションが確立される。
【００４２】
セッション中には、ステップＳ４０６において実際の会話がＲＴＰパケットを介して送受信され通話が成立する。テレビ電話の場合には、ＲＴＰパケットに、音声データおよび動画データ（低解像度ストリーミングデータ）を載せて、情報処理端末２０１、２０２の間でデータの送受信を行なう。
【００４３】
ステップＳ４０７において、通話中、情報処理端末２０１が、ユーザ操作に応じてカメラ操作要求パケットをＲＴＰパケットの一部として情報処理端末２０２に送信する。ＲＴＰパケットに、カメラ２２４の操作コマンドを埋め込み、情報処理端末２０２では、そのパケットから操作コマンドを解釈して、カメラ２２４を操作する。情報処理端末２０２は、最初にカメラ操作要求パケットを受信すると、カメラ２２４を起動しリモート状態にする。
【００４４】
さらに、情報処理端末２０１が情報処理端末２０２にＲＴＰパケットの一部として撮像コマンドを送ると（Ｓ４０８）、情報処理端末２０２は、カメラ２２４を制御して高解像度での撮像を行なう。
【００４５】
また、ステップＳ４０９において、情報処理端末２０２は、情報処理端末２０１からの要求に応じて、撮像された高解像度画像データをＲＴＰで情報処理端末２０１に送信する。情報処理端末２０１は、ＲＴＰで受信した高解像度画像データを、セッションを維持しつつ表示する。
【００４６】
通話を終了する場合には、ステップＳ４１０において、情報処理端末２０１、２０２のいずれか一方からＢＹＥリクエストが他方の端末側に送られる。ＢＹＥリクエストを受け取った情報処理端末は、ステップＳ４１１において相手方の情報処理端末に対して「200−OK」を返し、セッションが終了する。
【００４７】
以上のように、ＩＰ電話では、ＲＴＰパケットを構成（音声をＩＰパケット化）して、ＩＰネットワークに音声を送出する。このとき、音声およびカメラ操作コマンドをＲＴＰパケット化する。ただし、本発明は上述したパケットの送受信に限定されるものではなく、カメラ操作コマンドのみのＲＴＰパケットを別途構成してもよいし、全く別の種類のパケットによってカメラ操作および画像データの送受信を行なってもよい。
【００４８】
図５は、情報処理端末２０１において行なわれるカメラ操作処理の流れを示すフローチャートである。
【００４９】
ステップＳ５０１において、通話中であると判断すると、ステップＳ５０３において、カメラ２２４の遠隔操作指示を受け付けたか否か判定する。タッチパネル２１５に対する遠隔操作指示を受け付けると、ステップＳ５０３からステップＳ５０５に進み、遠隔操作コマンドを情報処理端末２０２に送信する。
【００５０】
次にステップＳ５０７において、シャッターボタン３１５がタップされたか判断し、タップされると、ステップＳ５０９に進んで、シャッターコマンドを情報処理端末２０２に送信する。
【００５１】
ステップＳ５１１において、画像データのダウンロード操作を受け付けると、ステップＳ５１３に進み、情報処理端末２０２から画像データを受信する。画像データを受信すると、ステップＳ５１４において、情報処理端末２０１は、タッチパネル２１５に、受信した画像データを表示する。
【００５２】
図６は、情報処理端末２０２において行なわれるカメラ操作処理の流れを示すフローチャートである。
【００５３】
ステップＳ６０１において、通話中であると判断すると、ステップＳ６０３において、通話相手からのカメラ操作要求を受け付けたか否か判定する。カメラ操作要求を受け付けると、ステップＳ６０５において、カメラ２２４が既に起動されているか判定し、起動されていなければ、ステップＳ６０７に進み、カメラ２２４を起動する。
【００５４】
次に、ステップＳ６０９において、カメラ遠隔操作コマンドを受信すると、ステップＳ６１１に進み、プロセッサ２２７がカメラ２２４の操作を行なう。
【００５５】
さらにステップＳ６１３において、シャッター操作のコマンドを受信すると、ステップＳ６１５に進み、高画質で撮像を行ない、高解像度画像データを記憶し、通話相手からの要求に応じて、高解像度画像データを送信する。
【００５６】
以上の構成によれば、非常に簡単に通話中に相手端末で好みの撮像を行なうことができる。
【００５７】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００５８】
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１】
0006766392.tif 000002
【図２】
0006766392.tif 000003
【図３】
0006766392.tif 000004
【図４】
0006766392.tif 000005
【図５】
0006766392.tif 000006
【図６】
0006766392.tif 000007